(57)【要約】【課題】  コンテナ用ライナを提供する。【解決手段】  上壁面（２）と、下壁面（３）と、前方壁面（７）と、後方壁面（６）と、該上壁面及び該下壁面を相互接続している側壁面（４，５）とを具備するコンテナ用ライナ（１）であって；  該前方壁面をおおって水平に延伸している離間したストラップが提供されていて、該ストラップは該前方壁面から外側へ延伸する延伸部を備えており、該延伸部は、その自由端部で該コンテナの内壁面に取りつけることができて、さらに該ライナの下壁面から上向きに延伸している離間したストラップが該前方壁面と接続されている。【選択図】      図１
2005041578.tif 000002
【特許請求の範囲】
【請求項１】
上壁面と、下壁面と、前方壁面と、後方壁面と、該上壁面及び該下壁面を相互接続している側壁面とを具備するコンテナ用ライナであって；
該前方壁面をおおって水平に延伸している離間したストラップが提供されていて、該ストラップは該前方壁面から外側へ延伸する延伸部を備えており、該延伸部は、その自由端部で該コンテナの内壁面に取りつけることができて、さらに該ライナの下壁面から上向きに延伸している離間したストラップが該前方壁面と接続されている、コンテナ用ライナにおいて；
該下壁面と、該水平に延伸しているストラップの上部ストラップとの間に延伸している、該上向きに延伸しているストラップの部分で、該上向きに延伸しているストラップが該前方壁面に固定されていて、一方該上向きに延伸しているストラップの残りの部分は該前方壁面に沿って上方でルーズに延伸しており、かつ該上向きに延伸しているストラップは、自身の自由端部で該コンテナにおける内壁面に取りつけることができることを特徴とする、コンテナ用ライナ。
【請求項２】
該上向きに延伸しているストラップがループを貫通していて、該ループは該ライナの該上壁面近傍で該前方壁面に取りつけられていることを特徴とする、請求項１に記載のコンテナ用ライナ。
【請求項３】
該上向きに延伸しているストラップは、該ライナの該前方壁面と接続する排出ダクトにおける側面各々の近傍に備えられていることを特徴とする、請求項１又は２に記載のコンテナ用ライナ。
【請求項４】
該前方壁面をおおって十文字に延伸しているストラップが該前方壁面に固定されていることを特徴とする、請求項１−３のいずれか一項に記載のコンテナ用ライナ。
【請求項５】
側壁面近傍に位置する該水平ストラップの下部ストラップの点から、該前方壁面をおおって十文字に延伸している該ストラップ各々が、該前方壁面をおおって斜め上向きに延伸していることを特徴する、請求項４に記載のコンテナ用ライナ。
【請求項６】
排出口から対向方向に該後方壁へ斜めに延伸しているストラップが該下壁面と接続されていて、該ストラップは、該下壁面から外側に延伸している延伸部を備えていることを特徴とする、請求項１−５のいずれか一項に記載のコンテナ用ライナ。
【発明の詳細な説明】
【技術分野】
【０００１】
本発明は、上壁面と、下壁面と、前方壁面と、後方壁面と、上壁面及び下壁面を相互接続している側壁面とを具備するコンテナ用ライナに関するものであって；
前方壁面をおおって水平に延伸している離間したストラップが提供されていて、ストラップは前方壁面から外側へ延伸する延伸部を備えており、延伸部は、その自由端部でコンテナの内壁面に取りつけることができて、さらにライナの下壁面から上向きに延伸している離間したストラップが前方壁面と接続されている、コンテナ用ライナである。
【背景技術】
【０００２】
ライナは、コンテナにおけるばら荷を輸送するために使用されていて、そのライナは、空の状態でコンテナに吊り下げられている。ライナは、コンテナに取りつけられた後に入口開口部を介して品物を入れることができ、その入口開口部は通常前方壁面の上部側近傍にあって、すなわち前方壁面はドアーにより閉じることのできるコンテナの開口部近傍にある。ばら荷の入ったコンテナからの荷降しは排出口を介して行なわれ、その排出口は通常前方壁面の下側近傍にある。多くの場合、コンテナは荷降し用の可傾式フレームに設置されていて、コンテナは可傾式フレームを用いて傾斜位置に配向され、ばら荷を排出口へ容易に流出するようになっている。
【０００３】
通常、順次上に配列された水平に延伸している多数のバーが、コンテナの開口部近傍に備えられていて、その開口部はドアーにより閉じることができ、バーは、ライナと中味をコンテナ用に保持するようになっていて、ライナの中味の重量の影響により、前方壁面が外側へ曲がることを防止し、かつ荷降しのためにコンテナを傾斜した際にライナ及び中味がコンテナから流出することを防止している。
【０００４】
一般にめっきされているそのようなバーは高価である。さらに、バーを備えたライナをユーザへ輸送することは困難でありコストがかかるものである。というのは、バーは重量があって長いものであるからである。さらに、バーは一般に一回だけしか使用されない。というのはばら荷の受取人は一般にバーを廃棄してしまうからである。
【０００５】
特許文献１（図１６Ｄ）は、水平ストラップ及び垂直ストラップが前方壁面に固定されたライナを開示している。垂直ストラップの上端部は上壁面のいくらか下方の距離にある。
【０００６】
【特許文献１】米国特許第５６５７８９６号明細書
【発明の開示】
【発明が解決しようとする課題】
【０００７】
本発明の目的は、バーを使用する際に生じる欠点を克服し、前方壁面における適切な支持を達成するライナを提供することである。
【課題を解決するための手段】
【０００８】
本発明によりこの目的が達成されていて、該下壁面と、該水平に延伸しているストラップの上部ストラップとの間に延伸している、該上向きに延伸しているストラップの部分で、該上向きに延伸しているストラップが該前方壁面に固定されていて、一方該上向きに延伸しているストラップの残りの部分は該前方壁面に沿って上方でルーズに延伸しており、かつ該上向きに延伸しているストラップは、自身の自由端部で該コンテナにおける内壁面に取りつけることができるようになっている。
【０００９】
本発明による構造体を使用することで、ライナの前方壁面に作用する大きな荷重を効果的に支持することができる。
【発明を実施するための最良の形態】
【００１０】
添付図面に概略的に図示した本発明によるライナの実施態様を用いて、本発明を以下に詳述する。
【００１１】
図示するライナ１は、上壁面２と、下壁面３と、二つの側壁面４及び５と、後方壁面６と、前方壁面７とを備えている。例示の実施態様において、前方壁面７が補強層８（図２において垂直線でハッチングされている）を備えていて、その補強層８は、下壁面３から前方壁面における約２／３の高さだけ延伸している。
【００１２】
前方壁面の上端部近傍に、入口ダクト９及びベントダクト１０が通常の方法で備えられていて、排出ダクト１１は、前方壁面の下側近傍に備えられている。
【００１３】
三本の離間した水平ストラップ１２が前方壁面７の下部をおおって前方壁面に、例えば縫いつけて固定されていて、その下部は前方壁面の全体高さの約４０％を含んでいる。前記ストラップは、前方壁面から外側へ延伸している延伸部１３を有していて、その延伸部１３はファスナ（図示されていない）によりコンテナの内壁面に固定することができて、そのファスナは、コンテナ内にライナ１を取りつける場合に、前記延伸部の自由端部近傍に提供されている。
【００１４】
さらに多数の規則正しく離間した垂直に延伸するストラップ１４が前方壁面と接続されていて、そのストラップは、ライナの下部３から水平に延伸しているストラップ１２の上部ストラップが延伸している長さの部分に沿って前方壁面に例えば縫いつけて固定されている。ストラップ１４の残りの部分は、前方壁面に対してルーズに接触していて、ループ１５を貫通しており、そのループ１５はライナの上部壁面で前方壁面に取りつけられている。上部壁面２の上方に延伸しているストラップ１４の延伸部１６は、ライナの取りつけの際にコンテナの上壁面の内側に取りつけられてもよい。
【００１５】
前記ストラップ１４は、特にばら荷をライナに詰める際に、たわんだ前方壁面７により排出ダクト１１が押し込まれあるいは圧縮されるような、特に排出ダクト１１の側面近傍のストラップは、この点に関して有効なものである。
【００１６】
さらに、十文字に延伸している二本のストラップ１７及び１８が、前方壁面に例えば縫いつけて取りつけられていて、そのストラップ各々が、ライナの側壁面近傍に位置する下部の水平ストラップ１２の端部から、ライナの対向壁面の点へ向けて、斜め上向きに延伸していて、その点は、下部壁面３から前方壁面７の全体高さの約６５％の距離だけ離間している。前記ストラップ１７及び１８は、同様にそれぞれ延伸部１９及び２０を上端部に備えていて、その延伸部１９及び２０は、コンテナにライナを取りつける際に、延伸部の端部でコンテナの内壁面に固定することができる。ストラップ１７及び１８の下端部は下部の水平ストラップ１２の延伸部１３と接続されている。
【００１７】
図１に図示するように、ストラップ２１及び２２が、コンテナの下部壁面に取りつけられていて、そのストラップ２１及び２２は、排出ダクト１１と前方壁面７との間の接続部から後方壁面へ斜めに側壁面の方向に延伸しており、その場所において、ストラップ２１，２２が延伸部２３を備えていて、その延伸部は、コンテナにライナを取りつける際に、延伸部の端部でコンテナの内壁面に固定することができる。
【００１８】
一般的なループ２４は、上壁面２が前方壁面７と接続する場所の近傍に備えられていて、コンテナのドアーを開く場合、そのループによりライナはドアー開口部の上端部から吊ることができる。
【００１９】
前方壁面に取りつけられたストラップにより、ライナの前方壁面の効果的な支持が行なわれ、そのストラップは、延伸部でコンテナの内壁面に取りつけられる。前記ストラップは、ライナの重量を増加させるものではなく、そのストラップを紛失することはない。というのはストラップはライナに固定され、かつライナと共に全体が輸送されるからである。
【図面の簡単な説明】
【００２０】
【図１】図１は、コンテナに設置されるライナの概略斜視図である。
【図２】図２は、図１におけるライナの概略正面図である。
【符号の説明】
【００２１】
１    ライナ
２    上壁面
３    下壁面
４，５    側壁面
６    後方壁面
７    前方壁面
【図１】
2005041578.tif 000003
【図２】
2005041578.tif 000004
【外国語明細書】
2005041578000001.pdf